(57)【特許請求の範囲】
【請求項１】
被取付体に配線器具を設置するため、前記被取付体に形成された取付孔に差し込まれて前記被取付体に取り付けられるとともに、周壁により前面に開口を有する箱状に形成された配線ボックスであって、
前記周壁に前記配線器具の保持枠を固定するためのボスを互いに対向するように少なくとも一対備えるとともに、
前記周壁に分断部を備え、
前記分断部により前記ボスのうちの少なくとも一方と共に前記開口の内側に向けて変位可能であり、変位されると変位前の原位置に向けて変位可能なボス変位部を備え、
前記ボス変位部の変位に伴って変位可能であるように前記ボス変位部から外方へ突出するとともに前記被取付体における前記取付孔の周囲裏面に係止する係止部を備え、
さらに、前記被取付体における前記取付孔の周囲表面に当接し前記係止部と共に前記被取付体を挟み込むフランジ部を備え、
前記係止部及び前記フランジ部によって前記被取付体が挟持された状態で、前記一対のボスに前記保持枠が固定されることで前記ボス変位部と共に前記係止部の変位が規制されるように構成されていることを特徴とする配線ボックス。
【請求項２】
前記分断部はスリットであるとともに、前記ボス変位部は前記スリットの開口幅分だけ変位可能に形成されていることを特徴とする請求項１に記載の配線ボックス。
【請求項３】
前記周壁は、底壁部と、該底壁部の側縁から立設された側壁部とから形成されるとともに、
前記底壁部における少なくとも一部分は、前記ボスのうちの少なくとも一方側から他方側に向けて外方へ膨出しながら弧状に湾曲するように形成されていることを特徴とする請求項１又は請求項２に記載の配線ボックス。
【発明の詳細な説明】
【技術分野】
【０００１】
本発明は、コンセント等の配線器具を設置するために被取付体に取り付けられる配線ボックスに関する。
【背景技術】
【０００２】
従来から、コンセント等の配線器具を設置するために、壁材等の造営材（被取付体）には一面が開口する有底箱状をなす配線ボックスが設置される。このような配線ボックスとしては、壁材等に穿設された取付孔に差し込むだけでワンタッチで壁材等に装着できるものが、例えば特許文献１に開示されている。
【０００３】
特許文献１の配線ボックスは、開口側周縁部から外方に向けて突設されるフランジ片を備えるとともに、側板部には、壁内配線孔（取付孔）への差し込み方向と平行な複数の可撓片が所定の間隔をおいて一体に傾斜並列して形成されている。さらに、各可撓片の開放側の前端部には外向きのストッパ（係止部）が突設されている。
【０００４】
そして、配線ボックスを壁内配線孔へ差し込むことで、突出状態の各ストッパが壁板の開口端面によって押圧されて、可撓片を内側に撓ませてストッパを開口端面で通過させた後、壁板の厚みと同じ長さに位置する可撓片のストッパが、外側に弾性復位して壁板の裏面に当接することで表側のフランジ片との間で壁板を挟持する。これにより、配線ボックスが壁板にワンタッチで取り付けられる。
【先行技術文献】
【特許文献】
【０００５】
【特許文献１】特開平１−２０９９１２号公報
【発明の概要】
【発明が解決しようとする課題】
【０００６】
ところで、特許文献１の配線ボックスは、ストッパとフランジ片とで壁板を挟持して壁板に取り付けられている。しかし、ストッパが弾性変形可能であることから、配線ボックスの取り付け状態でストッパが弾性変形してしまうと、ストッパとフランジ片とによる壁板の挟持が解除されてしまい、配線ボックスの壁板に対する取り付け状態が解除されてしまう。
【０００７】
本発明は、このような従来の技術に存在する問題点に着目してなされたものであり、その目的は、係止部を変位させてワンタッチで被取付体に取り付けることができるとともに、係止部の変位を防止して取り付け状態を維持することができる配線ボックスを提供することにある。
【課題を解決するための手段】
【０００８】
上記目的を達成するために、請求項１に記載の発明は、被取付体に配線器具を設置するため、前記被取付体に形成された取付孔に差し込まれて前記被取付体に取り付けられるとともに、周壁により前面に開口を有する箱状に形成された配線ボックスであって、前記周壁に前記配線器具の保持枠を固定するためのボスを互いに対向するように少なくとも一対備えるとともに、前記周壁に分断部を備え、前記分断部により前記ボスのうちの少なくとも一方と共に前記開口の内側に向けて変位可能であり、変位されると変位前の原位置に向けて変位可能なボス変位部を備え、前記ボス変位部の変位に伴って変位可能であるように前記ボス変位部から外方へ突出するとともに前記被取付体における前記取付孔の周囲裏面に係止する係止部を備え、さらに、前記被取付体における前記取付孔の周囲表面に当接し前記係止部と共に前記被取付体を挟み込むフランジ部を備え、前記係止部及び前記フランジ部によって前記被取付体が挟持された状態で、前記一対のボスに前記保持枠が固定されることで前記ボス変位部と共に前記係止部の変位が規制されるように構成されていることを要旨とする。
【０００９】
請求項２に記載の発明は、請求項１に記載の発明において、前記分断部はスリットであるとともに、前記ボス変位部は前記スリットの開口幅分だけ変位可能に形成されていることを要旨とする。
【００１０】
請求項３に記載の発明は、請求項１又は請求項２に記載の発明において、前記周壁は、底壁部と、該底壁部の側縁から立設された側壁部とから形成されるとともに、前記底壁部における少なくとも一部分は、前記ボスのうちの少なくとも一方側から他方側に向けて外方へ膨出しながら弧状に湾曲するように形成されていることを要旨とする。
【発明の効果】
【００１１】
この発明によれば、係止部を変位させてワンタッチで被取付体に取り付けることができるとともに、係止部の変位を防止して取り付け状態を維持することができる。
【図面の簡単な説明】
【００１２】
【図１】実施形態における配線ボックス及び保持枠を示す斜視図。
【図２】柱にコンセントが取り付けられた状態を示す部分断面図。
【図３】取付孔に配線ボックスが差し込まれている状態を示す部分断面図。
【図４】ボス変位部が取付孔の縁部に押圧されて開口内側に変位している状態を示す部分断面図。
【図５】配線ボックスが柱に取り付けられた状態を示す部分断面図。
【図６】保持枠が配線ボックスに取り付けられた状態を示す部分断面図。
【図７】別の実施形態における配線ボックスを示す斜視図。
【図８】別の実施形態における配線ボックスを示す斜視図。
【発明を実施するための形態】
【００１３】
以下、本発明を具体化した一実施形態を図１〜図６にしたがって説明する。
まず、配線ボックス１１が取り付けられる被取付体としての柱Ｈについて説明する。
図２に示すように、柱Ｈはその下部側が地面Ｌに埋設されることで地面Ｌから立設された状態で屋外に設置されるものである。中空状の柱Ｈの一側面下部側には挿通孔（図示せず）が形成されるとともに、この挿通孔を介して図示しない電力供給源から地面Ｌ内に延びる電線管Ｃａが柱Ｈ内に引き込まれるようになっている。電線管Ｃａ内には、電力供給源に電気的に接続された図示しないケーブルが挿通されるとともに、ケーブルは、電線管Ｃａによって保護されている。また、電線管Ｃａにおける配線ボックス１１に取り付けられる側の先端にはコネクタＣＴが設けられている。
【００１４】
柱Ｈの一側面上部側には、矩形状をなす取付孔Ｈ１が穿設されている。そして、配線ボックス１１は、取付孔Ｈ１に差し込まれてワンタッチで柱Ｈに取り付けられるとともに、この配線ボックス１１には保持枠２１を介して配線器具としてのコンセントＣＮが取り付けられるようになっている。
【００１５】
次に、配線ボックス１１について説明する。
図１に示すように、配線ボックス１１は、合成樹脂材料により前面に四角形状の開口１１ａを有する有底箱状に形成されている。配線ボックス１１は、正面視が矩形状をなすとともに側面視が弧状をなす底壁部１２を備えている。また、配線ボックス１１は、底壁部１２の直線状に延びる短側縁から立設される一対の第１の側壁部１３ａ，１３ｂと、底壁部１２の弧状に延びる長側縁から立設される一対の第２の側壁部１４ａ，１４ｂとを備える。そして、一対の第１の側壁部１３ａ，１３ｂ及び一対の第２の側壁部１４ａ，１４ｂは、対向する一対の開口縁を形成する。一対の第１の側壁部１３ａ，１３ｂは、それぞれ四角板状に形成されている。また、一対の第２の側壁部１４ａ，１４ｂは、底壁部１２側の縁部が、一方の第１の側壁部１３ａから他方の第１の側壁部１３ｂに向けて外方へ膨出しながら弧状に湾曲するように略扇形状に形成されている。よって、底壁部１２、一対の第１の側壁部１３ａ，１３ｂ及び一対の第２の側壁部１４ａ，１４ｂにより配線ボックス１１の周壁が形成されている。
【００１６】
一方の第１の側壁部１３ａには、電線管取付孔１５ａが二つ形成されるとともに、電線管取付孔１５ａはノック部１５ｂによって閉鎖されている。そして、電線管Ｃａを配線ボックス１１に取り付ける際には、ノック部１５ｂを除去して電線管取付孔１５ａを開放するとともに、電線管取付孔１５ａにコネクタＣＴを取り付ける。これにより、電線管ＣａがコネクタＣＴを介して配線ボックス１１に取り付けられる。
【００１７】
一対の第１の側壁部１３ａ，１３ｂにおける開口１１ａ寄りの内面中央部には、一対のボス１６が互いに対向するように設けられている。各ボス１６の一端面にはボス孔１６ａが形成されるとともに、ボス孔１６ａには、コンセントＣＮを保持可能な保持枠２１を一対のボス１６に取り付けるための螺子部材Ｂ１が挿通可能になっている。
【００１８】
他方の第１の側壁部１３ｂの上面における開口１１ａ側には、上方へ突出する係止部としての係止片１９が二つ設けられている。同様に、一方の第１の側壁部１３ａの下面における開口１１ａ側には、下方へ突出する係止片１９が二つ設けられている。各係止片１９は、開口縁部端面と平行に延びる平坦面１９ａと、平坦面１９ａに対して交差する方向へ延びる傾斜面１９ｂとを有する。
【００１９】
また、一対の第２の側壁部１４ａ，１４ｂにおける開口縁部には、外方に向けて突出するフランジ部としての第１フランジ１７がその開口縁部に沿って延びるように設けられている。第１フランジ１７は、一対の第２の側壁部１４ａ，１４ｂにおける開口縁部の略中央部に設けられている。
【００２０】
さらに、一対の第２の側壁部１４ａ，１４ｂにおける開口縁部両端には、外方に向けて突出するフランジ部としての第２フランジ１８がそれぞれ設けられている。第１フランジ１７及び第２フランジ１８の両端面は平坦面に形成されるとともに、第１フランジ１７の両端面と第２フランジ１８の両端面とはそれぞれ同一平面上に位置している。また、平坦面１９ａと第１フランジ１７及び第２フランジ１８の裏面との間の間隔は、取付孔Ｈ１の縁部の厚みと同じになっている。
【００２１】
一対の第２の側壁部１４ａ，１４ｂにおける開口縁部において、第１フランジ１７と第２フランジ１８との間には凹部１１ｂが形成されている。また、一対の第１の側壁部１３ａ，１３ｂにおける開口縁部において、隣り合う第２フランジ１８同士の間には、凹部１１ｃが形成されている。凹部１１ｃの底面とボス１６の一端面とは同一平面上に位置している。
【００２２】
また、一対の第２の側壁部１４ａ，１４ｂにおいて、一方のボス１６側の凹部１１ｂに対応する位置には、分断部として、開口１１ａから底壁部１２に向かって延びる一対のスリット２０が形成されている。スリット２０は、開口１１ａ側が開放されるとともに、底壁部１２側が第２の側壁部１４ａ，１４ｂの範囲内で閉塞している。よって、一対の第２の側壁部１４ａ，１４ｂには、開口１１ａ側に分断された部位が形成されるとともに、底壁部１２側に連続した部位が形成されている。
【００２３】
そして、配線ボックス１１において、他方の第１の側壁部１３ｂと、スリット２０よりも他方の第１の側壁部１３ｂ側に位置し、他方の第１の側壁部１３ｂに連続する第２の側壁部１４ａ，１４ｂの一部とからなる部位によりボス変位部２５が形成されている。ボス変位部２５は、ボス１６、係止片１９及び第２フランジ１８を一体に備え、底壁部１２が弾性変形するとスリット２０の開口幅分だけ上下方向へ変位可能であるとともに、変位されると変位前の原位置に向けて変位可能に形成されている。よって、スリット２０の開口幅分だけボス変位部２５が変位すると、ボス１６、係止片１９及び第２フランジ１８も同時に変位するようになっている。
【００２４】
次に、保持枠２１について説明する。
保持枠２１は矩形枠状をなすとともに、一対のボス１６と対応する位置には挿通孔２１ａが形成されている。また、保持枠２１の長手方向において、挿通孔２１ａよりも外側には一対の取付体２２が設けられている。各取付体２２には取付孔２２ａが形成されている。そして、ボス孔１６ａと挿通孔２１ａとが重合するように、保持枠２１を配線ボックス１１に対して配置すると、保持枠２１の四隅角部が凹部１１ｂに位置するとともに、保持枠２１の内側に第１フランジ１７が位置するようになっている。
【００２５】
次に、配線ボックス１１を柱Ｈの取付孔Ｈ１に取り付ける手順、及び配線ボックス１１の取付構造について説明する。なお、配線ボックス１１には電線管Ｃａが配線ボックス１１に既に取り付けられているものとする。
【００２６】
図３に示すように、まず、取付孔Ｈ１の下周縁部裏面に対して一方の第１の側壁部１３ａにおける係止片１９の平坦面１９ａを当接させて、係止片１９を取付孔Ｈ１の下周縁部裏面に係止させる。そして、取付孔Ｈ１の下周縁部裏面と係止片１９の平坦面１９ａとの当接部位を基点として、配線ボックス１１を回動させながら配線ボックス１１を取付孔Ｈ１に差し込む。すると、他方の第１の側壁部１３ｂにおける係止片１９の傾斜面１９ｂが取付孔Ｈ１の上周縁部表面に当接する。
【００２７】
係止片１９の傾斜面１９ｂと取付孔Ｈ１の上周縁部表面とが当接した状態において、さらに、配線ボックス１１を強制的に差し込むと、図４に示すように、ボス変位部２５が取付孔Ｈ１の上周縁部に押圧されて、スリット２０により開口１１ａ内側にボス変位部２５が変位する。このボス変位部２５の変位に伴い、ボス１６、係止片１９及び第２フランジ１８も変位する。
【００２８】
すると、図５に示すように、ボス変位部２５が原位置に向けて変位しながら係止片１９が取付孔Ｈ１の上縁部を乗り越えるとともに、ボス変位部２５が原位置に変位すると取付孔Ｈ１の上周縁部裏面に係止される。そして、第１フランジ１７及び第２フランジ１８の裏面が取付孔Ｈ１における両側縁部の表面に当接する。その結果、係止片１９と第１フランジ１７及び第２フランジ１８とにより、取付孔Ｈ１の周縁部が挟持されて、配線ボックス１１が取付孔Ｈ１に取り付けられる。
【００２９】
次に、図６に示すように、ボス孔１６ａと挿通孔２１ａとが重合するように、保持枠２１を配線ボックス１１に対して配置するとともに、螺子部材Ｂ１を挿通孔２１ａ及びボス孔１６ａに対して螺進させて螺子止めする。すると、保持枠２１が一対のボス１６に対して取り付けられ、ボス変位部２５が開口１１ａ内側に変位することが規制される。そして、保持枠２１にコンセントＣＮを取り付けることで、柱ＨにコンセントＣＮが設置される。
【００３０】
上記実施形態では以下の効果を得ることができる。
（１）一対の第１の側壁部１３ａ，１３ｂにはボス１６及び係止片１９が一体に設けられるとともに、一対の第２の側壁部１４ａ，１４ｂにおける一方のボス１６寄りには、一対のスリット２０が形成されている。そして、配線ボックス１１における他方の第１の側壁部１３ｂ側には、スリット２０の開口幅分だけボス１６及び係止片１９を変位可能にするボス変位部２５が設けられている。さらに、一対の第２の側壁部１４ａ，１４ｂにおける開口縁部には、外方に向けて突出する第１フランジ１７及び第２フランジ１８が設けられている。よって、配線ボックス１１が取付孔Ｈ１に差し込まれると、ボス変位部２５が取付孔Ｈ１の上周縁部に押圧されて、スリット２０により開口１１ａ内側に変位して、係止片１９が取付孔Ｈ１の上周縁部を乗り越えて取付孔Ｈ１の上周縁部裏面に係止される。その結果、係止片１９と第１フランジ１７及び第２フランジ１８により取付孔Ｈ１の周縁部を挟持して、配線ボックス１１をワンタッチで柱Ｈに取り付けることができる。さらに、配線ボックス１１が柱Ｈに取り付けられた状態において、保持枠２１を螺子部材Ｂ１により一対のボス１６に取り付けることで、保持枠２１により一対のボス１６の間隔が維持される。よって、ボス変位部２５が開口１１ａ内側に変位することが規制されることで、係止片１９が変位することが規制される。その結果、係止片１９における取付孔Ｈ１の上周縁部裏面に対する係止状態が解除されてしまうことが無く、配線ボックス１１における柱Ｈに対する取り付け状態を維持することができる。
【００３１】
（２）配線ボックス１１は底壁部１２と、該底壁部１２の側縁から立設される第１の側壁部１３ａ，１３ｂ及び第２の側壁部１４ａ，１４ｂとを備える。そして、第１の側壁部１３ａ，１３ｂにボス１６及び係止片１９が形成され、第２の側壁部１４ａ，１４ｂに第１フランジ１７が設けられている。よって、例えば、配線ボックス１１に一対の第２の側壁部１４ａ，１４ｂが存在しておらず、底壁部１２及び一対の第１の側壁部１３ａ，１３ｂにより外郭が形成されている場合に比べて、第２の側壁部１４ａ，１４ｂにより配線ボックス１１における上下方向の強度を高くすることができる。その結果、配線ボックス１１が柱Ｈに取り付けられたときに、第２の側壁部１４ａ，１４ｂにより配線ボックス１１自体が上下方向に撓み難くすることができ、係止片１９の係止状態が解除され難くなる。
【００３２】
（３）一対の第２の側壁部１４ａ，１４ｂには、一対のスリット２０が形成されるとともに、そのスリット２０よりも一方のボス１６側にボス変位部２５が形成されている。よって、例えば、第１の側壁部１３ｂにおけるボス１６を挟む部位にスリットを形成して、第１の側壁部１３ｂの一部によりボス変位部を形成する場合に比べて、ボス変位部２５を変位し難くすることができる。
【００３３】
（４）底壁部１２は、一方の第１の側壁部１３ａにおけるボス１６から他方の第１の側壁部１３ｂにおけるボス１６に向けて外方へ膨出しながら弧状に湾曲するように形成されている。よって、配線ボックス１１を取付孔Ｈ１に差し込む際に、配線ボックス１１の底壁部１２側が取付孔Ｈ１の周縁部に対して邪魔にならずにスムーズに差し込むことができる。
【００３４】
（５）配線ボックス１１において、第２の側壁部１４ａ，１４ｂには第１フランジ１７及び第２フランジ１８が外方に向けて突出するように設けられている。第２の側壁部１４ａ，１４ｂは、スリット２０により上下方向へ撓むが、左右方向へは撓み難く、その左右方向へ第１フランジ１７及び第２フランジ１８が延びている。よって、配線ボックス１１を柱Ｈに取り付ける際に、第１フランジ１７及び第２フランジ１８が取付孔Ｈ１における両側縁部の表面に当接し、この当接により配線ボックス１１が柱Ｈ内部へそれ以上挿入されてしまうことが規制される。その結果、配線ボックス１１が取付孔Ｈ１に対して傾いた状態で取り付けられてしまうことを抑制することができる。
【００３５】
（６）底壁部１２は、一方の第１の側壁部１３ａから他方の第１の側壁部１３ｂに向けて外方へ膨出しながら弧状に湾曲するように形成されている。よって、電線管Ｃａを取付孔Ｈ１から外部へ引き出すとともにコネクタＣＴを電線管取付孔１５ａに接続して、電線管Ｃａが配線ボックス１１に取り付けられた状態で、取付孔Ｈ１の下周縁部裏面に対して係止片１９の平坦面１９ａを当接させて、この当接部位を基点として配線ボックス１１を回動させながら取付孔Ｈ１に差し込むことができる。
【００３６】
なお、上記実施形態は以下のように変更してもよい。
○  図７に示す実施形態では、配線ボックス４１は、一面に開口４１ａを有する有底四角箱状に形成されるとともに、矩形板状をなす底壁部４２と、底壁部４２の短側縁から立設される一対の第１の側壁部４３ａ，４３ｂと、底壁部４２の長側縁から立設される一対の第２の側壁部４４ａ，４４ｂとを備える。そして、第１の側壁部４３ａ，４３ｂ及び第２の側壁部４４ａ，４４ｂは、対向する一対の開口縁を形成する。第１の側壁部４３ａ，４３ｂ及び第２の側壁部４４ａ，４４ｂそれぞれは矩形板状に形成されている。よって、底壁部４２、一対の第１の側壁部４３ａ，４３ｂ及び一対の第２の側壁部４４ａ，４４ｂにより配線ボックス４１の周壁が形成されている。
【００３７】
一対の第１の側壁部４３ａ，４３ｂにおける開口４１ａ寄りの内面中央部には、一対のボス１６が互いに対向するように設けられている。一対の第２の側壁部４４ａ，４４ｂにおける開口縁部には、第１フランジ１７及び第２フランジ１８が設けられている。また、一対の第１の側壁部４３ａ，４３ｂにおけるボス１６を挟む部位には、分断部としてのスリット５１が形成されている。そして、一対の第１の側壁部４３ａ，４３ｂにおいて、このスリット５１によって、開口４１ａ内側に変位可能になる部位によりボス変位部４５が形成されている。ボス変位部４５は、上下方向へ変位可能であるとともに、変位されると変位前の原位置に向けて変位可能に形成されている。また、ボス変位部４５には、係止片１９がそれぞれ設けられている。
【００３８】
上記構成の配線ボックス４１を取付孔Ｈ１に差し込む。すると、係止片１９の傾斜面１９ｂが取付孔Ｈ１の周縁部表面に当接する。係止片１９の傾斜面１９ｂと取付孔Ｈ１の周縁部表面とが当接した状態において、さらに、配線ボックス４１を強制的に挿入すると、ボス変位部４５が取付孔Ｈ１の周縁部に押圧されて、スリット５１により開口４１ａ内側にボス変位部４５が変位する。このボス変位部４５の変位に伴い、ボス１６及び係止片１９も変位する。
【００３９】
すると、ボス変位部４５が原位置に向けて変位しながら係止片１９が取付孔Ｈ１の周縁部を乗り越えるとともに、ボス変位部４５が原位置に変位すると取付孔Ｈ１の周縁部裏面に係止される。そして、第１フランジ１７及び第２フランジ１８の裏面が取付孔Ｈ１における両側縁部の表面に当接する。その結果、係止片１９と第１フランジ１７及び第２フランジ１８とにより、取付孔Ｈ１の周縁部が挟持されて、配線ボックス４１が柱Ｈに取り付けられる。このように、配線ボックス４１の外郭を有底四角箱状に形成するとともに、一対の第１の側壁部４３ａ，４３ｂにおけるボス１６を挟む部位にスリット５１を形成してもよい。
【００４０】
○  図８に示す実施形態では、配線ボックス８１は、前面に四角形状の開口８１ａを有する有底箱状に形成されるとともに、正面視が矩形状をなすとともに側面視が弧状をなす底壁部８２を備えている。また、配線ボックス８１は、底壁部８２の直線状に延びる短側縁から立設される一対の第１の側壁部８３ａ，８３ｂと、底壁部８２の弧状に延びる長側縁から立設される一対の第２の側壁部８４ａ，８４ｂとを備えている。他方の第１の側壁部８３ｂにおける左右方向に沿う長さは、一方の第１の側壁部８３ａにおける左右方向に沿う長さよりも短くなっているとともに、一対の第２の側壁部８４ａ，８４ｂと他方の第１の側壁部８３ｂとは離間している。
【００４１】
他方の第１の側壁部８３ｂにおける左右方向の両側縁、及び底壁部８２の長側縁の一部には、一対の第２の側壁部８４ａ，８４ｂの内側に入り込むように延在する一対の延在部８５が立設されている。一対の延在部８５の一部分と一対の第２の側壁部８４ａ，８４ｂの一部分とは、配線ボックス８１の左右方向において重合するとともに、一対の延在部８５と一対の第２の側壁部８４ａ，８４ｂとは連続していない。よって、一対の延在部８５と一対の第２の側壁部８４ａ，８４ｂとの間に分断部として機能する分断された部位が形成されるとともに、底壁部８２、一対の第１の側壁部８３ａ，８３ｂ、一対の第２の側壁部８４ａ，８４ｂ及び一対の延在部８５により配線ボックス８１の周壁が形成されている。
【００４２】
そして、配線ボックス８１において、一対の延在部８５と、他方の第１の側壁部８３ｂと、底壁部８２における一対の延在部８５が立設された一部分とからなる部位によりボス変位部８６が形成されている。ボス変位部８６は、底壁部８２が弾性変形すると一対の第２の側壁部８４ａ，８４ｂの内側に入り込むように上下方向へ変位可能であるとともに、変位されると変位前の原位置に向けて変位可能に形成されている。
【００４３】
○  実施形態において、ボス変位部２５におけるスリット２０よりも他方の第１の側壁部１３ｂ側に位置し、他方の第１の側壁部１３ｂに連続する第２の側壁部１４ａ，１４ｂの一部が、一対の第２の側壁部１４ａ，１４ｂの外側を通過するように、ボス変位部２５が上下方向へ変位可能に形成されていてもよい。
【００４４】
○  実施形態において、スリット２０は、一対の第２の側壁部１４ａ，１４ｂにおける一方のボス１６側に形成されていたが、これに限らず、一対の第２の側壁部１４ａ，１４ｂにおいて、スリット２０の形成位置は特に限定されなくてもよい。
【００４５】
○  実施形態において、スリット２０を、一対の第２の側壁部１４ａ，１４ｂにおける一方のボス１６寄りに形成し、ボス変位部２５を一方のボス１６側のみに設けたが、スリット２０を両方のボス１６寄りに形成し、ボス変位部２５を両方のボス１６側に形成してもよい。
【００４６】
○  実施形態において、スリット２０は、開口１１ａ側が開放されるとともに、底壁部１２側が第２の側壁部１４ａ，１４ｂの範囲内で閉塞していたが、これに限らず、例えば、スリット２０は、開口１１ａ側が開放されるとともに、底壁部１２側が第２の側壁部１４ａ，１４ｂを貫通して底壁部１２の範囲内で閉塞していてもよい。
【００４７】
○  実施形態において、底壁部１２は、一方の第１の側壁部１３ａから他方の第１の側壁部１３ｂに向けて外方へ膨出しながら弧状に湾曲するように形成されていたが、これに限らない。例えば、底壁部１２は、一方の第１の側壁部１３ａ及び他方の第１の側壁部１３ｂと交差するとともに、他方の第１の側壁部１３ｂから一方の第１の側壁部１３ａに向かうにつれて開口１１ａ側から離れるに従って直線状に降って延びるように形成されていてもよい。
【００４８】
○  実施形態において、配線ボックス１１の周壁は、底壁部１２、一対の第１の側壁部１３ａ，１３ｂ及び一対の第２の側壁部１４ａ，１４ｂにより形成されていたが、これに限らない。例えば、他方の第１の側壁部１３ｂを削除するとともに、底壁部１２の直線状に延びる一方の短側縁及び一方の第１の側壁部１３ａの短側縁により、対向する一対の開口縁を形成する。このようにして、配線ボックス１１の周壁が、底壁部１２、一方の第１の側壁部１３ａ及び一対の第２の側壁部１４ａ，１４ｂにより形成されていてもよい。また、当該底壁部１２が一方の第１の側壁部１３ａ側に向かうにつれて開口１１ａ側から離れるに従って直線状に降って延びるように形成されていてもよい。
【００４９】
○  実施形態において、配線ボックス１１の周壁は、底壁部１２、一対の第１の側壁部１３ａ，１３ｂ及び一対の第２の側壁部１４ａ，１４ｂにより形成されていたが、これに限らない。例えば、他方の第１の側壁部１３ｂを削除するとともに、底壁部１２の直線状に延びる一方の短側縁及び一方の第１の側壁部１３ａの短側縁により、対向する一対の開口縁を形成する。そして、底壁部１２が、底壁部１２の直線状に延びる一方の短側縁から一方の第１の側壁部１３ａ側に向かうにつれて膨出しながら弧状に湾曲するように形成されるとともに、その途中から一方の第１の側壁部１３ａに対して直交する方向へ直線状に延びるように形成されていてもよい。
【００５０】
○  実施形態において、配線ボックス１１の周壁は、底壁部１２、一対の第１の側壁部１３ａ，１３ｂ及び一対の第２の側壁部１４ａ，１４ｂにより形成されていたが、これに限らない。例えば、他方の第１の側壁部１３ｂを削除するとともに、底壁部１２の直線状に延びる一方の短側縁及び一方の第１の側壁部１３ａの短側縁により、対向する一対の開口縁を形成する。そして、底壁部１２が、底壁部１２の直線状に延びる一方の短側縁から一方の第１の側壁部１３ａ側に向かうにつれて開口１１ａ側から離れるに従って直線状に降って延びる第１延設部と、第１延設部と一方の第１の側壁部１３ａとを繋ぐとともに一方の第１の側壁部１３ａに対して直交する方向へ直線状に延びる第２延設部とから構成されていてもよい。
【００５１】
○  実施形態において、底壁部１２は、一方の第１の側壁部１３ａから他方の第１の側壁部１３ｂに向けて外方へ膨出しながら弧状に湾曲するように形成されていたが、これに限らない。例えば、底壁部１２の一部分であって、且つ底壁部１２と他方の第１の側壁部１３ｂとを繋ぐ部位が、一対のボス１６のうちの一方側から他方側に向けて外方へ膨出しながら弧状に湾曲するように形成されていてもよい。また、底壁部１２の一部分であって、且つ底壁部１２と他方の第１の側壁部１３ｂとを繋ぐ部位が、底壁部１２及び他方の第１の側壁部１３ｂと交差するとともに、他方の第１の側壁部１３ｂから一方の第１の側壁部１３ａ側に向かうにつれて開口１１ａ側から離れるに従って直線状に降って延びるように形成されていてもよい。
【００５２】
○  実施形態において、配線ボックス１１における開口１１ａ側の内面には一対のボス１６が設けられていたが、これに限らず、例えば、開口１１ａ側の内面に、二対以上のボス１６が設けられていてもよい。
【００５３】
○  実施形態において、配線ボックス１１の開口１１ａは四角形状であったが、これに限らず、楕円形状、真円形状、小判形状、又は真円を一部分が重合するように二つ形成した略瓢箪状をなす開口であってもよい。なお、このような開口の形状を有する配線ボックス１１は、その外郭が、柱Ｈ又は被取付体としての壁材に取付孔Ｈ１を穿設する際に使用される電動穿孔具の開口形状と略同一形状の外郭になるように周壁が形成されているのが好ましい。これによれば、電動穿孔具により穿設された取付孔Ｈ１の形状と、配線ボックス１１の外郭の形状とが略同一になるため、例えば、鋸を用いて手作業で柱Ｈ又は壁材に取付孔Ｈ１を穿設する場合に、配線ボックス１１の外郭の形状に合うように調整しながら取付孔Ｈ１を穿設するといった手間を省くことができる。よって、柱Ｈ又は壁材に取付孔Ｈ１を穿設した後、素早く配線ボックス１１を柱Ｈ又は壁材に設置することができる。
【００５４】
○  実施形態において、保持枠２１に取り付けられる配線器具はコンセントＣＮであったが、これに限らず、保持枠２１に取り付けられる配線器具は、例えば、スイッチであってもよい。
【００５５】
○  実施形態において、配線ボックス１１が設置される被取付体は屋外に設置される柱Ｈであったが、これに限らず、例えば、配線ボックス１１が設置される被取付体が軽量間仕切壁を構築する壁材であってもよい。
【００５６】
次に、上記実施形態及び別例から把握できる技術的思想について以下に追記する。
（イ）前記被取付体は屋外に設置される柱であることを特徴とする請求項１〜請求項３のいずれか一項に記載の配線ボックス。
【００５７】
（ロ）前記配線器具はコンセントであることを特徴とする請求項１〜請求項３、及び前記技術的思想（イ）のいずれか一項に記載の配線ボックス。
【符号の説明】
【００５８】
ＣＮ…配線器具としてのコンセント、Ｈ…被取付体としての柱、Ｈ１…取付孔、１１，４１，８１…配線ボックス、１１ａ，４１ａ，８１ａ…開口、１２，４２，８２…周壁の一部を形成する底壁部、１３ａ，１３ｂ，４３ａ，４３ｂ，８３ａ，８３ｂ…周壁の一部を形成する第１の側壁部、１４ａ，１４ｂ，４４ａ，４４ｂ，８４ａ，８４ｂ…周壁の一部を形成する第２の側壁部、１６…ボス、１７…フランジ部としての第１フランジ、１８…フランジ部としての第２フランジ、１９…係止部としての係止片、２０，５１…分断部としてのスリット、２１…保持枠、２５，４５，８６…ボス変位部、８５…周壁の一部を形成する延在部。
【図１】
0005508127.tif 000002
【図２】
0005508127.tif 000003
【図３】
0005508127.tif 000004
【図４】
0005508127.tif 000005
【図５】
0005508127.tif 000006
【図６】
0005508127.tif 000007
【図７】
0005508127.tif 000008
【図８】
0005508127.tif 000009